(57)【要約】【課題】  ローターが時間が表示される側に配置されている優れた自動巻き機能付きの計時器用ムーブメントを提供する。【解決手段】  自動巻き機能付き計時器用ムーブメント（１）であって、プレート（２）と、バレル（５）と、分針（１６）を支持する分パイプ（１５）を有する筒かな（１４）と、時針（２２）を支持する時パイプ（２１）を有する時車セット（２０）と、筒かなと時車セットと同じプレートの側に配置されている回転錘とを有する。この回転錘は、中央ハブ（２６）と、リム（２７）と、重い区画（２８）と、中央ハブに剛接続された持ち上げアーバー（２９）とを有する。この持ち上げアーバーのまわりに分パイプと時パイプは同軸にマウントされ、分針と時針はプレートとローターのリムの間に位置している。【選択図】  図５
2020052040.tif 000002
【特許請求の範囲】
【請求項１】
自動巻き機能付き計時器用ムーブメント（１）であって、
プレート（２）と、
前記プレート（２）に対して回転するようにマウントされ主歯車（６）を支えるバレル（５）と、
中心軸（Ａ）を中心として前記プレートに対してマウントされ、運動ワーク列（１７）を通して前記バレル（５）の前記主歯車（６）と噛み合い、分針（１６）を支持する分パイプ（１５）を有する筒かな（１４）と、
前記中心軸を中心として前記プレートに対してマウントされ、前記筒かな（１４）と噛み合い、時針（２２）を支持する時パイプ（２１）を有する時車セット（２０）と、及び
前記筒かな（１４）と前記時車セット（２０）と同じプレートの側にあり、前記中心軸（Ａ）を中心として前記プレート（２）に対して回転するようにマウントされるローター（２５）の形態である回転錘と
を有し、このローターは、
前記バレルと噛み合う中央ハブ（２６）と、
前記中央ハブに剛接続されたリム（２７）と、及び
前記リムに剛接続された重い弧状区画（２８）と
を有し、
当該計時器用ムーブメントは、
前記中央ハブ（２６）に剛接続された持ち上げアーバー（２９）を有し、この持ち上げアーバー（２９）を介して前記プレート（２）に対して回転するように前記中央ハブ（２６）がマウントされ、
前記分パイプと前記時パイプは、これらの前記分パイプと前記時パイプを通り抜ける前記持ち上げアーバーを中心として同軸にマウントされ、
前記分針と前記時針は、前記プレート（２）と前記ローターの前記リム（２７）の間に位置している
ことを特徴とする計時器用ムーブメント（１）。
【請求項２】
前記プレート（２）に対して固定された固定リング（３１）と、
前記中心軸（Ａ）を中心として前記固定リング（３１）に対して回転するように動くことができる可動リング（３２）と、及び
これらの２つのリングの間に挿入された転がり要素（３３）と
を備えるベアリング（３０）を有し、
前記持ち上げアーバー（２９）は、前記可動リングに剛接続される
ことを特徴とする請求項１に記載の計時器用ムーブメント（１）。
【請求項３】
回転するように動くことができる前記可動リング（３２）は、減速ギヤ列（３８）を介して前記バレル（５）と噛み合う歯付き伝動車（３７）を支持する
ことを特徴とする請求項２に記載の計時器用ムーブメント（１）。
【請求項４】
前記バレル（５）は、前記主歯車（６）と離れている副歯車（９）を支持し、この副歯車（９）と前記減速ギヤ列が噛み合う
ことを特徴とする請求項３に記載の計時器用ムーブメント（１）。
【請求項５】
前記ベアリング（３０）は、前記プレート（２）に取り付けられた部材（３４）にマウントされる
ことを特徴とする請求項２〜４のいずれかに記載の計時器用ムーブメント（１）。
【請求項６】
前記固定リング（３１）は内側リングであり、回転するように動くことができる前記可動リング（３２）は外側リングである
ことを特徴とする請求項２〜５のいずれかに記載の計時器用ムーブメント（１）。
【請求項７】
前記ベアリング（３０）は、前記プレート（２）に取り付けられた部材（３４）にマウントされ、
前記固定リング（３１）は内側リングであり、回転するように動くことができる前記可動リング（３２）は外側リングであり、
前記ベアリング（３０）の前記内側リング（３１）は、中心ねじ（３５）によって前記部材（３４）に取り付けられ、
この中心ねじは、前記中心ねじとこの中心ねじの頭部が位置している堅固な管とを通過させる中央穴が形成された底部がある中間部分（３６）を前記部材と係合させ、
この堅固な管は、前記持ち上げアーバーに形成された中央開口内に位置し、
この持ち上げアーバーは、回転する管を形成する
ことを特徴とする請求項５又は６ののいずれかに記載の計時器用ムーブメント（１）。
【請求項８】
前記プレート（２）に対して固定されたソケット（３９）を有し、このソケット（３９）上に前記時パイプ（２１）と前記分パイプ（１５）がマウントされ、
この固定ソケットは、前記持ち上げアーバーを包囲している
ことを特徴とする請求項１〜７のいずれかに記載の計時器用ムーブメント（１）。
【請求項９】
前記時パイプ（２１）は前記ソケット（３９）に入れられ、
前記分パイプ（１５）は前記時パイプ（２１）に入れられる
ことを特徴とする請求項８に記載の計時器用ムーブメント（１）。
【請求項１０】
前記ソケットは、前記プレート（２）に取り付けられた上側部材（４０）上にて固定されるようにマウントされ、
この上側部材は、前記プレート（２）と同じ側に内側面（４４）を有し、反対側に外側面（４５）を有する
ことを特徴とする請求項８又は９に記載の計時器用ムーブメント（１）。
【請求項１１】
前記バレル（５）は、前記内側面（４４）と同じ前記上側部材（４０）の側にマウントされ、
前記筒かな（１４）、前記時車セット（２０）及び前記ローター（２５）は、前記外側面と同じ前記上側部材の側にマウントされる
ことを特徴とする請求項１０に記載の計時器用ムーブメント（１）。
【請求項１２】
運動ワーク列（１７）と反転車セット（４６）を有し、
前記運動ワーク列（１７）は、前記分パイプ（１５）に剛接続された分ピニオン（１８）と噛み合い、
この運動ワーク列は、前記外側面（４５）と同じ前記上側部材（４０）の側にて前記上側部材（４０）に対して回転するようにマウントされ、
前記反転車セット（４６）は、
前記外側面（４５）と同じ前記上側部材の側に位置しており、前記運動ワーク列（１７）と噛み合う上側車（４７）と、
前記内側面（４４）と同じ前記上側部材の側に位置しており、前記上側車とともに回転するように前記上側車に剛接続されており、前記バレル（５）の前記主歯車（６）と噛み合う下側車（４８）と、及び
前記上側部材（４０）を通して前記上側車を前記下側車に接続するシャフト（４９）と
を有することを特徴とする請求項１１に記載の計時器用ムーブメント（１）。
【発明の詳細な説明】
【技術分野】
【０００１】
本発明は、計時器の分野に関し、より詳細には、腕時計に備えられるように意図されている自動巻き機能付き計時器用ムーブメントに関する。
【背景技術】
【０００２】
自動巻き機能付きの最初の文書化された時計機構は、１８世紀の終わりに登場している。この機構においては多くの拡張が行われている。今日広く用いられている典型的な機構は、ローターの形態である回転錘を有し、その回転が減速ギヤ列を介してバレルに伝達される。
【０００３】
伝統的に、ローターには、ハブと、リム（ないし「支持体」）と、及び重い（ないし「重量のある」）弧状区画がある。このハブを介してローターがムーブメントのプレートに（回転可能なように）取り付けられており、前記リムは、ハブに剛接続されており、前記重い弧状区画は、リムに剛接続され、ローターの重量の分布に非平衡があることによって、腕時計が運動しているときにローターを回転させる。
【０００４】
多くの腕時計において、表面と同じプレートの側に針が配置され、逆に、裏面と同じプレートの側に、すなわち、針の反対側に、ローターが配置される。
【０００５】
しかし、スイス特許ＣＨ７０３９６４に開示されているように、ローターが針と同じ側に位置している形態が存在する。この形態は、ローターの回転を表示することによる着用者のための娯楽的な点から有利であるが、課題がないわけではない。
【０００６】
この特許文献ＣＨ７０３９６４が提案している計時器用ムーブメントは、ローターのハブに形成された中央開口内に時パイプと分パイプを通し、このローターは、計時器用ムーブメント（プレート、部材及び車セットを有し、これによって、これらがプレートと部材の間を回転する）の本体と、時針と分針との間に配置される。
【０００７】
このことによって、時針と分針が、ムーブメントの本体から、特に、可能性としては時を読み取るための目盛から、比較的遠い距離に位置することとなる。
【０００８】
この構成は、時間を正確に読み取るために悪影響を与えるため、また、ムーブメントの針と本体の間に大きな空間が発生する（この空間の少なくとも一部をローターが占めるということを考えると）結果として審美性に議論の余地を与えるために、問題がある。
【発明の概要】
【発明が解決しようとする課題】
【０００９】
このように、本発明の目的の１つは、ローターが時間が表示される側に配置されている自動巻き機能付きの計時器用ムーブメントにおいて、前記課題を解決することである。
【課題を解決するための手段】
【００１０】
前記目的を達成するために、本発明は、自動巻き機能付き計時器用ムーブメントを提案するものであり、これは、
プレートと、
前記プレートに対して回転するようにマウントされ主歯車を備えるバレルと、
中心軸を中心として前記プレートに対してマウントされ、運動ワーク列を通して前記バレルの前記主歯車と噛み合い、分針を支持する分パイプを有する筒かなと、
前記中心軸を中心として前記プレートに対してマウントされ、前記筒かなと噛み合い、時針を支持する時パイプを有する時車セットと、及び
前記筒かなと前記時車セットと同じプレートの側にあり、前記中心軸を中心として前記プレートに対して回転するようにマウントされるローターの形態である回転錘と
を有し、このローターは、
前記バレルと噛み合う中央ハブと、
前記中央ハブに剛接続されたリムと、
前記リムに剛接続された重い弧状区画と、及び
前記中央ハブに剛接続された持ち上げアーバーと
を有し、この持ち上げアーバーを介して前記プレートに対して回転するように前記中央ハブがマウントされ、
前記分パイプと前記時パイプは、前記持ち上げアーバーを中心として同軸にマウントされ、
前記分針と前記時針は、前記プレートと前記ローターの前記リムの間に位置している。
【００１１】
１つの好ましい実施形態において、当該ムーブメントは、前記プレートに対して固定された固定リングと、
前記中心軸を中心として前記固定リングに対して回転するように動くことができる可動リングと、及び
これらの固定リングと可動リングの間に挿入された転がり要素と
を備えるベアリングを有し、
前記持ち上げアーバーは、前記可動リングに剛接続される。
【００１２】
前記可動リングは、好ましくは、減速ギヤ列を介して前記バレルと噛み合う歯付き伝動車を支持する。
【００１３】
１つの実施形態において、前記固定リングは内側リングであり（好ましくは、中心ねじによって前記部材に固定される）、前記可動リングは外側リングである。
【００１４】
当該ムーブメントは、前記プレートに対して固定されたソケットを有し、このソケット上に前記時パイプと前記分パイプがマウントされる。前記時パイプはソケットに入れられ、前記分パイプは時パイプに入れられる。
【００１５】
前記筒かなと前記時車セットは、好ましいことに、プレートに取り付けられた上側部材にマウントされ、この上側部材は、プレート側に内側面を、その反対側に外側面を有する。前記バレルは、好ましくは、上側部材の内側面の側にマウントされ、筒かな、時車セット及びローターは、上側部材の外側面にマウントされる。
【００１６】
計時器用ムーブメントは、好ましくは、
運動ワーク列と反転車セットを有し、
前記運動ワーク列は、前記分パイプに剛接続された分ピニオンと噛み合い、
この運動ワーク列は、前記外側面の側にて前記上側部材に対して回転するようにマウントされ、
前記反転車セットは、
前記上側部材の前記外側面の側に位置しており、前記運動ワーク列と噛み合う上側車と、
前記上側部材の前記内側面の側に位置しており、前記上側車とともに回転するように前記上側車に剛接続されており、前記バレルの前記主歯車と噛み合う下側車と、及び
前記上側部材を通して前記上側車を前記下側車に接続するシャフトと
を有する。
【００１７】
下で与えられる１つの実施形態についての説明を図面を参照しながら読むことで、本発明の他の目的及び利点を理解することができるであろう。
【図面の簡単な説明】
【００１８】
【図１】表示と同じ側に位置しているローターを備える自動巻き機能付きの計時器用機構の斜視図である。
【図２】図１の機構の分解斜視図である。
【図３】当該機構を拡大して示している図２と同様な分解斜視図である。
【図４】図１の機構を上から見た図である。
【図５】図４の機構の切断面Ａ−Ａに沿った断面図である。
【図６】図４の機構の切断面Ｂ−Ｂに沿った断面図である。
【図７】図４の機構の切断面Ｃ−Ｃに沿った部分断面図である。
【発明を実施するための形態】
【００１９】
図１は、自動巻き機能付き計時器用ムーブメント１を示している。このムーブメント１は、手首に着用することができる腕時計に備えられるように意図されている。
【００２０】
まず、ムーブメント１は、堅固な部分（好ましくは、金属で作られ、例えば、鋼である）の形態であるプレート２を有し、これは、ムーブメントの様々な固定部品や可動部品のための支持体を形成するように意図されている。プレート２には、底面３と、及びその底面３の反対側にある頂面４とを有する。
【００２１】
第２に、ムーブメント１は、プレート３に対して回転するようにマウントされるバレル５を有し、主歯車６を備える。バレルは、バレルアーバー７、バレルドラム８及びメインばね（図示せず）を有し、前記バレルアーバー７を介してバレルがプレート２上を回転するようにマウントされ、前記メインばねは、内側端によってバレルアーバー７に、そして、外側端によってバレルドラム８に剛接続している。
【００２２】
特に、図６に示しているように、バレルは、主歯車６とは別個のものである副歯車９（「ラチェット」とも呼ばれる）を備える。
【００２３】
第３に、ムーブメント１は、外側端において巻きボタン１２を支持している巻きステム１１を有する巻きユニット１０を有する。巻きユニット１０は、巻き機構１３を有し、この巻き機構１３を介して、巻きステム１１が、巻き位置において、バレル５の副歯車９と噛み合う。これによって、手動でばねを回転させて、ばねを巻く。
【００２４】
第４に、ムーブメント１は、中心軸Ａを中心としてプレート２に対して回転するようにマウントされる筒かな１４を有する。筒かなは、分針１６を支持する分パイプ１５を有する。
【００２５】
筒かな１４は、運動ワーク列１７を介してバレルの主歯車６と噛み合う。
【００２６】
より詳細には、特に、図７に示している１つの実施形態において、筒かな１４は、分パイプ１５に剛接続された（又は分パイプ１５と一体的に形成された）分ピニオン１８を有し、運動ワーク列１７は、分ピニオンと噛み合う分車１９．１を有する。
【００２７】
運動ワーク列１７は、プレート２に対して回転するようにマウントされている。
【００２８】
第５に、ムーブメント１は、中心軸Ａを中心としてプレート２に対して回転するようにマウントされている時車セット２０を有する。時車セット２０は、時針２２を支持する時パイプ２１を有する。
【００２９】
時車セット２０は、筒かな１４と噛み合う。より詳細には、図７に示している１つの実施形態において、時車セット２０は、時パイプ２１に剛接続された（又は時パイプ２１と一体的に作られた）時ピニオン２３を有し、ムーブメント１は、１／１２のギヤ比で回転するように時車セット２０を筒かな１４と連結するギヤ機構２４を有する。
【００３０】
より詳細には、ギヤ機構２４は、
−  分車１９．１とともに回転するように分車１９．１に剛接続された運動ワークピニオン１９．２と噛み合う時間車２４．１、
−  時間車２４．１とともに回転するように時間車２４．１に剛接続された減速ピニオン２４．２、
−  減速ピニオン２４．２と時ピニオン２３の間に挿入される反転車２４．３
を有する。
【００３１】
以下の表記を用いている。
ＮMは、分ピニオン１８（したがって、分針１６）の回転速度である。ＮHは、時ピニオン２３（したがって、時針２２）の回転速度である。ＺMは、分ピニオン１８の歯数である。ＺHは、時ピニオン２３の歯数である。Ｚ１は、分車１９．１の歯数である。Ｚ２は、運動ワークピニオン１９．２の歯数である。Ｚ３は、時車２４．１の歯数である。Ｚ４は、減速ピニオン２４．２の歯数である。
【００３２】
ギヤ比Ｒは、以下のように表すことができる。
【００３３】
【数１】
2020052040.tif 000003
【００３４】
伝導機構は、ギヤ比が１／１２であるように選ばれる。以下の例を用いるとそのような比になる。
ＺH＝ＺM＝６４、Ｚ１＝６０、Ｚ２＝１６、Ｚ３＝４８、Ｚ４＝１５
【００３５】
分パイプ１５と分針１６を有する筒かな１４は、頂面４と同じプレート２の側に配置される。同様に、時パイプ２１と時針２２を有する時車セット２０は、頂面４と同じプレート２の側に配置される。
【００３６】
第６に、ムーブメント１は、筒かな１４と時車セット２０と同じプレート２の側、この場合、頂面４と同じプレートの側において、中心軸Ａを中心にプレート２に対して回転するようにマウントされるローター２５の形態である回転錘を有する。
【００３７】
特に、図５に示しているように、ローター２５は、
−  バレル５と噛み合う中央ハブ２６、
−  中央ハブ２６に剛接続されたリム２７、
−  リム２７に剛接続された重い弧状区画２８
を有する。
【００３８】
図面に示している１つの特定の実施形態において、リム２７は、堅固なディスクの形態であるが、孔が開けられていることができる。例示的な実施形態において、リムは、光透過性材料、例えば、工業的サファイアで作られたもの、によって作られた堅固なディスクである。
【００３９】
例えば、重い弧状区画２８は、リム２７の材料よりも密度が大きい材料で作られた半リングの形である。したがって、１つの特定の実施形態において、重い弧状区画は、黄銅によって作られている。
【００４０】
リム２７に対する重い弧状区画２８の取り付けは、例えば、ねじ込み、リベット付け、クリンプ処理、接合によって行う。
【００４１】
第７に、ムーブメント１は、中央ハブ２６に剛接続された持ち上げアーバー２９を有し、この持ち上げアーバー２９は、プレート２に対して回転するように中央ハブ２６を介してマウントされている。
【００４２】
持ち上げアーバー２９は、好ましくは、中空円筒の形態であり、例えば、鋼で作られている。
【００４３】
持ち上げアーバー２９と中央ハブ２６は、一体化されたユニットを形成することができる。しかし、図示している例において、持ち上げアーバー２９と中央ハブ２６は、互いに取り付けられた２つの別個の部品を形成している。１つの特定の実施形態において、中央ハブは、持ち上げアーバーの上端にねじ込まれる。
【００４４】
図５に示しているように、分パイプ１５と時パイプ２１は、持ち上げアーバー２９を中心として同軸にマウントされ、分針１６と時針２２は、プレート２とローターのリム２７の間に位置している。
【００４５】
したがって、この構成は、ローター２５の回転の表示から着用者が利益を享受することを可能にしつつ、時目盛を支持している潜在的な表盤又はリングのできるだけ近くに針１６、２２を配置して、時の読み取りを容易にすることができる。
【００４６】
１つの好ましい実施形態において、ムーブメント１は、
−  プレート２に対して固定されている固定リング３１、
−  中心軸Ａを中心として固定リング３１に対して回転するように動くことができ、持ち上げアーバー２９は剛接続されているリング３２、
−  リング３１、３２の間に挿入される転がり要素３３（一般的には、球）
を備えるベアリング３０を有する。
【００４７】
ベアリング３０は、好ましいことに、プレート２に取り付けられた中間部材３４にマウントされる。
【００４８】
図示している例において、固定リング３１は、ベアリング３０の内側リングであり、可動リング３２は、外側リングである。
【００４９】
図５、図６及び図７に示しているように、内側リング３１は、中心ねじ３５によって中間部材３４に固定される。図示している例において、中心ねじ３５とベアリング３０の内側リング３１との間に中間部分３６が挿入されている。この中間部分は、プレート２に対して固定されており、
−  計時器用ムーブメントが受けることがある横方向の衝撃を受けたときに持ち上げアーバーを強化すること、
−  内側リング３１上の中心ねじ３５のクランプが発生させる潜在的な変形を吸収して、したがって、中央の回転軸Ａとの良好な同軸性を確実にすること
の２つの機能を有する。
【００５０】
図示している例において、持ち上げアーバー２９は、ベアリングの外部に位置している可動リング３２にねじ込まれる。
【００５１】
可動リング３２は、好ましくは、減速ギヤ列２８（図５に示している）を介してバレル５と噛み合う歯付き伝動車３７を支持する。より詳細には、減速ギヤ列２８は、バレル５の副歯車（列）９と噛み合う。
【００５２】
図５及び図６に示しているように、パイプ１５、２１は、持ち上げアーバー２９を自由に包囲している。このために、パイプ１５、２１のそれぞれの内径は、少なくとも、２つのパイプの内部に位置している持ち上げアーバーの部分について、持ち上げアーバーの外径よりも大きい。
【００５３】
ムーブメント１は、好ましいことに、持ち上げアーバーを包囲しているソケット３９を有し、このソケットはプレート２に対して固定されている。時パイプ２０と分パイプ１５は、ソケットにマウントされている。図示している例において、ソケットは、プレート２に取り付けられた上側部材４０に剛接続される（例えば、ねじ込まれる）。より詳細には、図示している例において、上側部材は中間部材３４に取り付けられている。
【００５４】
ベアリング３０の内側リング３１は、中心ねじ３５によって中間部材に取り付けられている。この中心ねじは、さらに、この部材と中間部分３６を係合させており、この中間部分３６には、中心ねじと、この中心ねじの頭部が位置している堅固な管とを通す中央穴が形成された底部があり、この堅固な管は、持ち上げアーバーに形成された中央開口の内部に位置しており、この持ち上げアーバーは、回転する管を形成する。
【００５５】
図２及び図３に、上側部材４０を明確に示している。中間部材３４に対する上側部材４０の取り付けは、例えば、ねじ４１によって行われ、この場合は３つのねじ４１によって行われる。図３に明確に示しているように、上側部材４０には穴４２が形成されており、ムーブメント２の可動部品、特に、運動ワーク列１７の部品、の回転をガイドするシャフト４３を支える。
【００５６】
１つの好ましい実施形態において、
−  時パイプ２１はソケット３９に入れられ、
−  分パイプ１５は時パイプ２１に入れられる。
【００５７】
好ましいことに、ソケット３９と時パイプ２１の間の界面において、時パイプ２１が（時針２２とともに）ソケット３８に対して回転することができるように第１のインデントを行う。
【００５８】
好ましいことに、時パイプ２１と分パイプ１５の間の界面において、分パイプ１５が（分針１６とともに）時パイプ２１に対して回転することができるように第２のインデントを行う。
【００５９】
特に、図７に示しているように、バレル５は、内側面４４（具体的には、中間部材３４とプレート２の間にて、プレート２に対向している）と同じ上側部材４０の側にマウントされ、筒かな１４、時車セット２０及びローター２５は、外側面４５と同じ上側部材４０の側（プレート２とは反対側）にマウントされる。
【００６０】
バレル５（内側面４４と同じ上側部材４０の側に配置されている）の回転の運動ワーク列１７への伝動を確実にするために、ムーブメント１は、好ましいことに、反転車セット４６を備える。この反転車セット４６は、
−  外側面４５と同じ上側部材４０の側に位置しており運動ワーク列１７（より詳細には、運動ワークピニオン１９．２）と噛み合う上側車４７、
−  内側面４４と同じ上側部材４０の側に位置しており上側車４７とともに回転するように上側車４７に剛接続しておりバレル５の主歯車６と噛み合う下側車４８、
−  上側部材４０を通して上側車４７を下側車４８に接続するシャフト４９を有する。
【００６１】
図７に示している１つの実施形態において、シャフト４９は、上側部材４０だけでなく中間部材３４も通り抜ける。
【００６２】
図７に示しているように、ムーブメント１は、さらに、中心軸Ａに対して中心がずれている小さな秒針５０を備えることができる。小さな秒針５０は、１／６０の比で筒かな１４と噛み合う秒車５２に剛接続されたシャフト５１に入れ込まれる。
【００６３】
また、特に図１及び図２に示しているように、ムーブメント１は、筒かな１４を包囲するガイドリング５４を備えるベアリングブロック５３と、及び固定ピン５５とを有し、この固定ピン５５を介してベアリングブロック５３が上側部材４０に取り付けられている。
【００６４】
上記に記載したムーブメントには、特に、以下の利点がある。
【００６５】
第１に、ローター２５が時間表示（すなわち、針１５、２２として）と同じ側に位置していることによって、その表示とは反対側の構成とは互換性がないローターの運動によって与えられる表示から着用者が利点を享受することが可能になる。
【００６６】
第２に、この種の大多数のムーブメントとは異なり、針１５、２２の上にローター２５が位置するということによって（このことは、特に、持ち上げアーバーの存在によって可能になっている）、これらの針１５、２２をムーブメントの本体、そして、この本体の裏面に位置することができる時目盛に対して、可能な限り近く配置することができ、したがって、表示を読み取りやすくする。
【００６７】
最後に、上記計時器用ムーブメントは、プレート２の表面側に位置する付加的な時間表示を容易に追加することができる。この場合、二重の時間表示が得られ、これによって、第２の表示は、例えば、第１の表示とは異なるタイムゾーンに対応させることができる。
【符号の説明】
【００６８】
１  計時器用ムーブメント
２  プレート
５  バレル
６  主歯車
９  副歯車
１４  筒かな
１５  分パイプ
１６  分針
１７  運動ワーク列
１８  分ピニオン
２０  時車セット
２１  時パイプ
２２  時針
２５  ローター
２６  中央ハブ
２７  リム
２８  重い弧状区画
２９  持ち上げアーバー
３０  ベアリング
３１  固定リング
３２  可動リング
３３  転がり要素
３４  部材
３５  中心ねじ
３６  中間部分
３７  歯付き伝動車
３８  減速ギヤ列
３９  ソケット
４０  上側部材
４４  内側面
４５  外側面
４６  反転車セット
４７  上側車
４８  下側車
４９  シャフト
Ａ  中心軸
【図１】
2020052040.tif 000004
【図２】
2020052040.tif 000005
【図３】
2020052040.tif 000006
【図４】
2020052040.tif 000007
【図５】
2020052040.tif 000008
【図６】
2020052040.tif 000009
【図７】
2020052040.tif 000010
【外国語明細書】
2020052040000001.pdf